(57)【要約】      （修正有）【課題】小型化を可能とするとともに高い冷却性能を確保することのできる電子機器を提供する。【解決手段】底面２ａの脚部１０は後部１１に吸気口１２を有している。発熱部品２１には冷却装置３０が熱的に接続されている。冷却装置３０は発熱部品２１に熱的に接続される受熱部３１と、受熱部３１に伝熱された熱を移送するヒートパイプ３２、ヒートパイプ３２の他端が複数のフィン３３により構成されるヒートシンク３４とを有している。脚部１０内部には円筒ファン装置４０が配置されている。円筒ファン装置４０は円筒ファン４２とこの円筒ファン４２を回転駆動するモータ部４１とを有している。円筒ファン４２の一旦は吸気口１２と対向して配置されており、円筒ファン装置４０は電子機器の前後方向に長手方向を向けて配置されている。【選択図】図２
2006210635.tif 000002
【特許請求の範囲】
【請求項１】
底面を有する本体と、
上記底面に設けられるとともに吸気口を有する脚部と、
上記本体内部に設けられる発熱部品と、
上記発発熱部品に熱的に接続され、上記発熱部品の熱を放熱する冷却装置と、
上記脚部内に配置され上記吸気口を介して吸気上記冷却装置に吸気した空気を導くファン装置と、
を具備することを特徴とする電子機器。
【請求項２】
上記ファン装置は、
モータと、
このモータにより回転駆動される円筒ファンと、を有し、
上記円筒ファンは、
上記モータの回転軸を中心に同心円状には配置されるとともに、上記モータの回転により回転される複数のフィンと、
上記モータの回転軸上に設けられた開口部と、を有し、
上記開口部を介して吸気した空気を上記複数のフィンの間を介して遠心方向に排気する円筒ファン装置である事を特徴とする請求項１記載の電子機器。
【請求項３】
上記円筒ファン装置から延心情に排気された空気はダクトを介して上記冷却装置に導かれることを特徴とする請求項２記載の電子機器。
【請求項４】
冷却装置は、
上記発熱部品に熱的に接続される受熱部と、
上記受熱部に熱的に接続され、上記受熱部に伝わった熱を移送するヒートパイプと、
上記ヒートパイプの一端に熱的に接続され上記ヒートパイプにより移送された熱を放熱するヒートシンクと、を有し、
上記ダクトを介して導かれた空気は上記ヒートシンクに吹き付けられることを特徴とする請求項３記載の電子機器。
【請求項５】
上記本体は排気口を有し、上記ヒートシンクは上記本体の排気口と対向することを特徴とする請求項４記載の電子機器。
【発明の詳細な説明】
【技術分野】
【０００１】
本発明は、電子機器およびその冷却構造に係り、特に、冷却ファンで発熱体を強制冷却する電子機器およびその冷却構造に関する。
【背景技術】
【０００２】
近年、パーソナルコンピュータをはじめとして、電子機器の情報処理速度の向上は著しく、これを実現するＣＰＵ（Ｃｅｎｔｒａｌ  Ｐｒｏｃｅｓｓｉｎｇ  Ｕｎｉｔ）や周辺半導体デバイスの処理速度は従来に比べて格段と高速化が図られている。
【０００３】
ＣＰＵや周辺半導体デバイスの高速化に伴って、これらのデバイスの発熱量も増大してきており、特にＣＰＵの多くは強制冷却無しでは正常な動作を維持できなくなってきていいる。
【０００４】
また、電子機器の性能向上や多機能化に伴って部品点数や部品の種類は増加傾向にあるものの、他方では小型・軽量化への要望も益々高まってきており、特に携帯型情報機器の分野では小型・軽量化技術が必要不可欠となってきている。
【０００５】
従来から、ＣＰＵ等の発熱デバイスを強制冷却する方法として、冷却ファンを用いて冷却空気の流れを発生させ、この冷却空気をＣＰＵ等の発熱デバイスに熱的に接続された放熱フィンに吹き付けることによって冷却する方法が多くとられている。この場合例えば冷却ファンを筐体に取り付け、冷却ファンの近傍にＣＰＵ等の発熱デバイスを配設することが多い。
【０００６】
また、小型の冷却ファンをＣＰＵ等の発熱デバイスの上面に密着させて冷却させる形態も多くとられている。
【０００７】
冷却ファンの種類には種々のものがあるが、軸流ファンと呼ばれるものは、羽根車の回転軸に沿って直線的な空気の流れを発生させるものである。また、遠心型多翼ファン（シロッコファンとも呼ばれる）と呼ばれるものは、回転軸の中心から空気を吸い込み、遠心方向に空気を吐き出す方式のファンである。
【０００８】
この他、特許文献１には、円筒体の形状を有し、かつ、その軸方向に沿って複数のブレードが円周方向に配設され、回転軸に直交する一方から空気を吸い込み、反対方向に空気を吐き出す方式のファン（リニアフローファン）に関する技術が開示されている。このファンによれば、円筒体の長さ方向の全幅にわたって均一な強さの流れが発生できるとしている。
【特許文献１】特開２００１−１６８５６４号公報
【発明の開示】
【発明が解決しようとする課題】
【０００９】
しかしながら、上述した冷却方法や冷却ファンは、いずれも発熱体（ＣＰＵ等）或いは発熱体と熱的に接続された受熱体（放熱フィン等）（以下発熱体等という。）と冷却ファンとが物理的に分離された形態となっている。
【００１０】
即ち、冷却ファンで発生させた空気流を、冷却ファンに近接して配置された発熱体等や、冷却ファンと所定の距離をもって配置された発熱体等に吹き付けて冷却する形態となっている。
【００１１】
このため、冷却ファンと発熱体等とはそれぞれ独立した空間を占有せざるを得ず、小型・高密度を必要とする電子機器にとっては部品配置上の大きな制約となっている。
【００１２】
本発明は、上記事情に鑑みてなされたもので、小型化を可能とするとともに高い冷却性能を確保することができる電子機器を提供することを目的とする。
【課題を解決するための手段】
【００１３】
上記目的を達成するために、本発明の電子機器は、底面を有する本体と、底面に設けられるとともに吸気口を有する脚部と、本体内部に設けられる発熱部品と、発発熱部品に熱的に接続され、発熱部品の熱を放熱する冷却装置と、脚部内に配置され吸気口を介して吸気冷却装置に吸気した空気を導くファン装置と、を具備することを特徴とする。
【発明の効果】
【００１４】
本発明によれば、小型化を可能とするとともに高い冷却性能を確保することができる。
【発明を実施するための最良の形態】
【００１５】
以下本発明に係る実施の形態を、図面を参照して説明する。
図１は、電子機器の斜視図である。ノート型コンピュータ(電子機器)１は本体２を有し、ヒンジ部３を介して表示装置４が本体２に対して回動可能に接続されている。本体２の上面にはキーボード２が配置されている。本体２の側面６には排気口７が設けられている。
図２は、電子機器の脚部分を側方より見た概略断面図である。本体２の底面２ａには脚部１０が設けられている。本体２の後部２ｂ側に位置する脚部１０の後部１１には吸気口１２が設けられている。本体２内部には回路基板２０が設けられている。回路基板２０にはＣＰＵ等の発熱部品２１が実装されている。発熱部品２１には冷却装置３０が熱的に接続されている。冷却装置３０は発熱部品２１に熱的に接続される受熱部３１を有している。受熱部３１はグリース、電熱シート等を介して発熱部品２１に熱的に接続される。冷却装置３０は、受熱部３１に伝熱された熱を移送するヒートパイプ３２を有しており、ヒートパイプ３２の一端がカシメ、半田付け等の手法により受熱部３１に熱的に接続されている。ヒートパイプ３２の他端は複数のフィン３３により構成されるヒートシンク３４に熱的に接続される。ヒートパイプ３２の他端もカシメ、半田付け等によりヒートシンク３４に熱的に接続される。ヒートシンク３４は脚部１０の上方近傍に配置される。
【００１６】
脚部１０内部には円筒ファン装置４０が配置されている。円筒ファン装置４０は円筒ファン４２とこの円筒ファン４２を回転駆動するモータ部４１とを有している。円筒ファン４２の一旦は吸気口１２と対向して配置されており、円筒ファン装置４０は電子機器１の前後方向に長手方向を向けて配置されている。
図３は、円筒ファンの斜視図である。
円筒ファン４２は、回転軸線Ａの周囲の円周方向に配設される複数のフィン４５と、これらのフィン４５を支持する支持部４３，４４とを備えて構成される。支持部４３は図２に示すモータ部４１が接続されモータ部４１の回転動力が支持部４３に伝達されることで円筒ファン４２が回転軸線Ａを中心に回転する。
【００１７】
各フィン４５は、軸方向に直線状に伸びた細長の略短冊形状をなし、幅方向は適宜の曲率をもって湾曲している。各フィン４５の両端は図３に示したように支持部４３，４４の支持面４３ａ，４４ａの円周方向に連接される。支持部４３は円盤状に形成されており、支持部４４は円環状に形成されている。支持部４４には開口部４４ｂを備えている。また、隣接する各フィン４５の間には細長い隙間４６が形成された略円筒形状を形成する。
【００１８】
フィン４５の数、細部形状、或いはフィン４５の支持部４３，４４に対する取り付け角度等は、必要とする冷却性能等によって適宜最適なものに設定されるもので、本発明において特に限定するものではない。
【００１９】
円筒ファン４２を形成する材質は特に限定するものではないが、例えば軽量化の点から合成樹脂等を用いて形成できる。また、複数のフィン４５と支持部２１とを合成樹脂等で一体的に成形する形態であっても良い。
円筒ファン４２がモータ４１により回転させられると、支持部４４の開口部４４ｂより吸気され、開口部４６を介して回転軸Ａより遠心方向に吸気した空気が排気される。図２において、円筒ファン装置４０は、支持部４４の開口部４４ｂは脚部１０の吸気口１２と対向するように配置されている。
図４は、電子機器の脚部分を後方より見た概略断面図である。図５は、冷却装置と円筒ファン装置との位置関係を示した平面図である。
図４に示すように円筒ファン装置４０の周りにはダクト５０が設けられている。ダクト５０は円筒ファン４２の周囲を囲う本体部５１を有している。円筒ファン４０の開口部４４ｂより吸気された空気は複数のフィン４５間の開口部４６を介して遠心方向に排気される。排気された空気はダクト本体部５１により本体部５１の一箇所にある排気口５２より排気される。
ダクト５０は排気口５２よりより延びるダクト部５３を有している。ダクト部５３の一端５３ａはヒートシンク３４の一端４３ａに接続される。ヒートシンク３４の他端３３ｂは本体２の側面６に設けられている排気口７と対向している。排気口５２より排気される空気はダクト部５３を通ってヒートシンク３４に流れ込む。
図５に示すようにヒートシンク３４に流れ込んだ空気はヒートシンク３４を構成する複数のフィン３３の間隙を介して排気口７を介して電子機器１の外部へ排出される。フィン３３には受熱部３１よりで発熱部品２１の熱が伝熱されており、フィン３３の間を通る空気によりフィン３３に伝わった熱は冷やされる。
【００２０】
このように円筒ファン４０を電子機器１の脚部１０内部に配置することで本体２内部における他の部品の配置の自由度、設計自由度をあげることができ、機器の小型化、高密度実装を可能とし、効率良く冷却効果を発揮することができる。
【００２１】
なお、本発明は実施形態そのままに限定されるものではなく、実施段階ではその要旨を逸脱しない範囲で構成要素を変形して具体化できる。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２２】
【図１】電子機器の斜視図。
【図２】電子機器の脚部分を側方より見た概略断面図。
【図３】円筒ファンの斜視図。
【図４】電子機器の脚部分を後方より見た概略断面図。
【図５】冷却装置と円筒ファン装置との位置関係を示した平面図。
【符号の説明】
【００２３】
１…電子機器、２…本体、３…ヒンジ部、４…表示装置、５…キーボード、６…側面、７…排気口、１０…脚部、１２…吸気口、２０…回路基板、２１…発熱部品、３０…冷却装置、３１…受熱部、３２…ヒートパイプ、３３…フィン、３４…ヒートシンク、４０…円筒ファン装置、４１…モータ部、４２…円筒ファン、４３，４４…支持部、４５…フィン、４４ｂ…開口部、５０…ダクト、５１…本体部、５２…排気口、５３…ダクト部
【図１】
2006210635.tif 000003
【図２】
2006210635.tif 000004
【図３】
2006210635.tif 000005
【図４】
2006210635.tif 000006
【図５】
2006210635.tif 000007